(57)【特許請求の範囲】
【請求項１】
記録されたデータが群に分割されている光学的記録担体（ＣＤ）を使用する際のアクセスタイムの短縮方法において、
前記光学的記録担体（ＣＤ）を記録および／または再生装置にセットした後、
前記群のうちの一部の群の開始部分に走査光ビームを連続的に案内し、
一部の群の開始部分から最初のｎデータを読み出し、
一部の群からの当該最初のｎデータをメモリ（Ｓ）に記憶し、
ここで数字ｎは群毎に異なっていてもよく、
群のデータを読み出す際に、まずメモリ（Ｓ）にファイルされている前記ｎデータを読み出し、
その間に、記録および／または再生装置の走査装置（Ａ）は当該群を探索し、
当該群を発見した後は、メモリ（Ｓ）にファイルされている前記ｎデータではなく、走査装置（Ａ）から送出されたデータを読み出し、
２つの群のデータを読み出す間の休止で、残りの群の最初のｎデータをメモリに記憶することを特徴とする、
アクセスタイムの短縮方法。
【請求項２】
メモリ（Ｓ）から到来するデータ流が、走査装置（Ａ）から到来するデータ流と同期した後は、メモリ（Ｓ）から読み出した前記ｎデータではなく、走査装置から送出されたデータを後続の処理のためにさらに伝送する、
請求の範囲第１項記載の方法。
【請求項３】
前記光学的記録媒体はディスク（ＣＤ）である、
請求の範囲第１項から第２項までのいずれか１項記載の方法。
【請求項４】
前記の記録および／または再生装置はＣＤプレーヤであって、インデックス０のデータは記憶しない、
請求の範囲第１項から第３項までのいずれか１項記載の方法。
【請求項５】
各群の最初のｎデータを記憶するために、バッファメモリとしての高速メモリと常駐メモリが設けられており、
前記ｎデータをまず高速メモリにファイルし、
引続き、常駐メモリに伝送し、
前記ｎデータの読み出しは反対の順序で行う、
請求の範囲第１項から第４項までのいずれか１項記載の方法。
【請求項６】
休止の持続時間を記憶する、
請求の範囲第１項から第５項までのいずれか１項記載の方法。
【発明の詳細な説明】
本発明は、記録担体におけるアクセスタイムの短縮方法に関する。
ＣＤプレーヤでは光学的走査装置が光ビームを用いて、回転ディスク状記録担体（いわゆるコンパクトディスク）のデータを走査する。トラッキング制御回路を用いてデータを走査する光ビームはディスクの螺旋状のデータトラックに沿って案内される。
ＣＤ聴取者が所望の音楽曲を聞くことができるように光学的走査装置は現在の位置から可及的迅速に所望の音楽曲の開始するトラックに案内される。光ビームはこの過程の間（トラック跳躍と称される）複数のデータトラックを交差する。光ビームはちょうど走査されたトラックから目的トラックに跳躍する。トラック跳躍が迅速に行われれば行われるほど、アクセスタイムは短縮される。すなわち、所望の音楽曲を聞くことができるまでに使用者が待機しなければならない時間が短縮される。
データシステムにおいては短時間のアクセスタイムはＣＤプレーヤの場合よりもさらに重要である。ＣＤ−ＲＯＭをデータメモリとして装備した記録および／または再生装置では、短時間のアクセスタイムは重要な品質特性である。装置およびディスクによって、アクセスタイムは約１００ｍｓから数秒の間で変動し得る。
本発明の課題は、アクセスタイムを各段に短縮することである。
記録されたデータが群に分割されている記録担体においてアクセスタイムを短縮するための本発明の方法は、上記課題を次のようにして解決する。すなわち、記録担体を記録および／または再生装置にセットした後、まず、各群の最初のｎデータをメモリに記憶し、群のデータを読み出す際に、まずメモリにファイルされているデータを読み出し、その間に、記録および／または再生装置の走査装置は当該群を探索し、当該群を発見した後は、メモリにファイルされているデータではなく、走査装置から送出されたデータを読み出すのである。
上記課題の第２の解決手段は、記録担体を記録および／または再生装置にセットした後、まず、群のうちの一部の最初のｎデータをメモリに記憶し、群のデータを読み出す際に、まずメモリにファイルされているデータを読み出し、その間に、記録および／または再生装置の走査装置は当該群を探索し、当該群を発見した後は、メモリにファイルされているデータではなく、走査装置から送出されたデータを読み出し、２つの群のデータを読み出す間の休止で、残りの群の最初のｎデータをメモリに記憶するのである。
図面には本発明の方法を実施するための装置が示されている。
図面およびＣＤプレーヤに基づいて本発明を説明する。
ディスクＣＤがＣＤプレーヤにセットされると、制御回路ＳＴによりまず光学的走査装置Ａ（ディスクＣＤを光ビームＬにより走査する）が順次各音楽曲の開始部に案内される。これは各音楽曲の最初のｎデータを読み出すためである。この各音楽曲の最初のｎデータはメモリＳに記憶される。各群の最初のｎデータの記憶がメモリＳで終了すると、ＣＤプレーヤは動作準備状態となり、ディスクを演奏することができる。
ＣＤ聴取者が、例えば音楽曲を聞きたい場合、メモリＳにファイルされた、この音楽曲の最初のｎデータの読み出しが直ちに開始される。その間に光学的走査装置は聴取者の所望の音楽曲の開始部をディスクＣＤ上で探索する。同期回路ＳＹはメモリＳから読み出されたデータをさらに伝送する。その間に制御回路ＳＴは光学的走査装置Ａを所望の音楽曲の開始部へディスクＣＤ上で移動させる。このようにしてディスクＣＤからのデータの読み出しを開始することができる。同期回路ＳＹではメモリＳから到来するデータ流を光学的走査装置Ａのデータ流に同期させる。２つのデータ流が同期すると直ちに、同期回路ＳＹはメモリＳから到来するデータを導通しなくなり、光学的走査装置Ａから送出されたデータをさらに伝送する。
各音楽曲の最初のｎデータがメモリにファイルされているから、使用者は所望の音楽曲を直ちに聞くことができる。アクセスタイムはほとんどゼロになる。このメモリＳからデータを読み出す間に、光学的走査装置は所望の音楽曲をディスク上で探索する十分な時間を有する。メモリから到来するデータと光学的走査装置から送出されたデータが同期した後、走査装置から送出されたデータに切り換えられる。聴取者はこの切換を知覚しない。
アクセスタイムを短縮するためには、群ないし音楽曲の一部のうちから最初のｎデータを記憶するだけで十分である。最初のｎデータがメモリにファイルされている群に対するアクセスタイムは短縮される。しかし残りの群に対するアクセスタイムは短縮されない。
本発明の第２の解決手段によれば、群ないし音楽曲の一部のみの最初のｎデータが記憶される。音楽曲間の休止中、およびＣＤプレーヤがポーズ動作に切り換えられている間に、残りの音楽曲の最初のｎデータが記憶される。
しかし個々の音楽曲の代わりに、任意のデータの他の群を取り扱うこともできる。ＣＤ−ＲＯＭ、一度書込み可能なコンパクトディスク上で、例えば記録されたデータは複数の群に分割される。各群からディスクのセット後に、最初のｎデータがメモリに記憶される。ｎは少なくとも、データを読み出すべきそれぞれの群の開始部を見つけるのに走査装置が十分な時間を有するような大きさに選択するのが有利である。しかし各群毎に同じ数のデータをメモリにファイルする必要はない。
本発明の第１実施例では、各群ないし各音楽曲において最初の１回転のデータが記憶される。
しかし第２実施例のように、最初のｍ回転のデータを記憶することもできる。ここでｍは整数または仮分数である。
第３実施例では、各群のメモリに記憶されるデータの数はディスクに記録されている群の数に依存する。
最初のｍデータを記憶するために第４実施例では、バッファメモリとしての容量の小さな高速メモリと常駐メモリが設けられる。記憶の際には、走査装置により読み出されたデータがまず高速メモリにファイルされ、そこから常駐メモリにさらに伝送される。データを読み出す際には反対の順序で行われる。データはまず常駐メモリから高速メモリに伝送され、そこから読み出される。第４実施例の利点は比較的小さな高速メモリ素子が必要なだけであることである。
ＣＤプレーヤの場合、インデックス０のディスク個所は記憶しないのが有利である。なぜなら、この個所はデータを含まないからである。その代わりにインデックス０により設定される休止の長さを記憶する。音楽曲の開始部にはゼロのデータがあり、これも記憶しない。しかし休止の場合と同様に、情報を含まないこのデータの持続時間は記憶する。
本発明の方法は、記録担体を装備し、この記録担体では記録されたデータが群に分割されている記録および／または再生装置に適する。例としてＣＤプレーヤ、ビデオディスクプレーヤ、ＤＲＡＷディスクプレーヤおよび磁気光学的装置がある。
0003805357.tif 000002